(57)【要約】【課題】  幅木、上部壁仕上げと見切り、さらには出隅、入隅にも兼用することができ、使用される腰壁パネルの表面形状の如何にかかわらず適用することができる見切り部材と、この見切り部材を使用した腰パネル構造を提供する。【解決手段】  方形の見切り主体２の、長手方向の一側面２ａに、使用せんとする腰パネルの厚みに相当する切欠きを一方端から他方端に向けて形成して腰パネル受入れ部３を形成するとともに、前記側面２ａに隣接し、前記切欠きによって一部欠損した側面２ｂのほぼ中央部に、前記腰パネルに形成された突合せ片もしくはやとい実を受入れる凹状の溝からなる接続部４を形成して見切り部材１とする。また、この見切り部材１と、一方の側面部に溝を、他方の側面部に本ざねを形成した所要の幅と長さとを有する腰パネルと、やとい実とで腰パネル構造を構成する。【選択図】      図２
2006322217.tif 000002
【特許請求の範囲】
【請求項１】
方形の見切り主体の、長手方向の一側面に、使用せんとする腰パネルの厚みに相当する切欠きを一方端から他方端に向けて形成して腰パネル受入れ部を形成するとともに、
前記側面に隣接し、前記切欠きによって一部欠損した側面のほぼ中央部に、前記腰パネルに形成された突合せ片もしくはやとい実を受入れる凹状の溝からなる接続部を形成したこと
を特徴とする見切り部材。
【請求項２】
前記見切り主体は、
前記切欠きによって除去された角隅部と相対する角隅部を弧状に形成したこと
を特徴とする請求項１に記載の見切り部材。
【請求項３】
前記見切り主体は、
前記切欠きによって除去された角隅部と相対する角隅部に、軸方向に向かって円弧状の切欠きを形成したこと
を特徴とする請求項１に記載の見切り部材。
【請求項４】
前記見切り主体は、
木材もしくは合成樹脂材からなること
を特徴とする請求項１〜３のいずれかに記載の見切り部材。
【請求項５】
一方の側面部に溝を、他方の側面部に本ざねを形成した所要の幅と長さとを有する腰パネルと、
方形の見切り主体の、長手方向の一側面に、前記腰パネルの厚みに相当する切欠きを一方端から他方端に向けて形成して腰パネル受入れ部を形成するとともに、前記側面に隣接し、前記切欠きによって一部欠損した側面のほぼ中央部に、前記腰パネルに形成された突合せ片もしくはやとい実を受入れる嵌合溝を形成した見切り部材と、
前記腰パネルの溝と係合可能なやとい実
とから構成される腰パネル構造。
【請求項６】
前記腰パネルは、
裏面部に反りを防止するための溝が長手方向に複数形成されたものであること
を特徴とする請求項５に記載の腰パネル構造。
【請求項７】
前記腰パネルは、
表面部が凹凸部によって波状に形成されたものであること
を特徴とする請求項５又は６に記載の腰パネル構造。
【発明の詳細な説明】
【技術分野】
【０００１】
この発明は、たとえば、一般住宅における室内の壁面に装飾用などの目的で腰パネルを取り付けるに際し、前記腰パネルの上部及び／又は下部、さらには出隅及び／又は入隅を仕上げるために用いられる見切り部材と、この見切り部材を使用した腰パネル構造に関するものである。
【背景技術】
【０００２】
たとえば、一般住宅の室内壁面の装飾として、壁パネル（腰壁ともいう。）を、室内壁面の全幅にわたって貼り付けることが行なわれている。かかる腰パネルは、幅木用の見切り部材、上部の見切り部材、さらには出隅や入隅の見切り部材など多数の部材を使用して壁面に体裁よく取り付けるものであるので、それぞれの部位にあった見切り部材が必要になるとともに、施行にも手間がかかるものとなっている、また、リフォームに際しては、既存の幅木を利用することができず、全てを撤去したのち、新設しなければならないなど施工上多くの課題を有している。
【０００３】
かかる見切り部材としては、たとえば、特開平５−１７１７９６号公報（特許文献１）においては、両側縁に縦方向の肉薄の突合せ片を備えた複数の腰壁パネルを、互いに左右に突合せ片を突き合わせて壁面に張設するとともに、相隣接する突合せ片の上に目地板を張ってなる公知の腰壁において、終端に位置する腰壁パネルの終端側を仕上げるために、腰壁パネルの終端側に沿って壁面に張設される見切り部材として、縦方向に肉薄の突合せ片を片側に備えるとともに、突合せ片の上に重ねて張るための、前記目地板の一端側を挿入するための縦方向の嵌合溝を一側面に有し、かつ表面及び両側面の少なくとも正面側から見える部分が化粧仕上げされている腰壁の見切り部材が提案されている。
【０００４】
また、特開２００２−３０９７６７号公報（特許文献２）では、転倒などによってぶつかった場合でも、相手に損傷を与えるおそれがほとんどない衝撃吸収材として、あるいは簡易なキックガードやストレッチャ−ガードとしても使用可能で、かつその設置・施工が容易で安価な見切り材として、弾性を有する合成樹脂を用いて適宜な巾を有する長尺状に形成され、その上縁及び／又は下縁に壁面に対して付勢接触する断面略嘴形状をした圧接縁を延設し、壁面に対して接着剤で貼り着けるようにしたことを特徴とするものが提案されている。
【０００５】
さらに、特願２００２−３２２８０１号公報（特許文献３）に記載の見切り材は、見切り材と腰壁シートや床シートに一体感を持たせることができるとともに、人がぶつかっても怪我をするおそれがほとんどなく、壁面に不陸があっても壁面との間に隙間が生じることがなく、しかも施工性が良いものであって、柔軟性を有する熱可塑性樹脂からなり、腰壁シートや床シートの見切り端部に配置されるものであって、その断面形状が上記シートの見切り端部の厚みとほぼ同じ半径を有し、下端面が平坦な断面略四半円形状をなし、上縁に壁面に対して付勢接触する断面略嘴形状をした圧接縁を延設するとともに、下縁には上記シートの裏面に至る接着縁を延設したものである。
【特許文献１】特開平  ５−１７１７９６号公報
【特許文献２】特開２００２−３０９７６７号公報
【特許文献３】特願２００２−３２２８０１号公報
【発明の開示】
【発明が解決しようとする課題】
【０００６】
前記特許文献１に記載の見切り部材は、同公報中にも明記されているように、壁面の途中で腰壁を終結させる場合、その終端部を簡単に、しかも見栄えよく仕上げるためのものであって、用途がきわめて限定されたものであるので、出隅や入隅などの処理のためには使用することができないものである。
【０００７】
同様に、特許文献２または３に記載の見切り部材も、室内の壁面に貼着などの手段によって取り付けられた腰パネルの上縁及び／又は下縁に対して用いるものであるので、出隅や入隅などの処理のためには使用することができないものである。
【０００８】
この発明はかかる現状に鑑み、幅木、上部壁仕上げと見切り、さらには出隅、入隅にも兼用することができ、使用される腰壁パネルの表面形状の如何にかかわらず適用することができる見切り部材と、この見切り部材を使用した腰パネル構造を提供せんとするものである。
【課題を解決するための手段】
【０００９】
前記の目的を達成するため、この発明の見切り部材は、
方形の見切り主体の、長手方向の一側面に、使用せんとする腰パネルの厚みに相当する切欠きを一方端から他方端に向けて形成して腰パネル受入れ部を形成するとともに、
前記側面に隣接し、前記切欠きによって一部欠損した側面のほぼ中央部に、前記腰パネルに形成された突合せ片もしくはやとい実を受入れる凹状の溝からなる接続部を形成したこと
を特徴とするものである。
【００１０】
また、この発明の請求項２に記載の発明は、
請求項１に記載の見切り部材において、
前記見切り主体は、
前記切欠きによって除去された角隅部と相対する角隅部を弧状に形成したこと
を特徴とするものである。
【００１１】
また、この発明の請求項３に記載の発明は、
請求項１に記載の見切り部材において、
前記見切り主体は、
前記切欠きによって除去された角隅部と相対する角隅部に、軸方向に向かって円弧状の切欠きを形成したこと
を特徴とするものである。
【００１２】
また、この発明の請求項４に記載の発明は、
請求項１〜３のいずれかに記載の見切り部材において、
前記見切り主体は、
木材もしくは合成樹脂材からなること
を特徴とするものである。
【００１３】
また、この発明の請求項５に記載の発明は、
一方の側面部に溝を、他方の側面部に本ざねを形成した所要の幅と長さとを有する腰パネルと、
方形の見切り主体の、長手方向の一側面に、前記腰パネルの厚みに相当する切欠きを一方端から他方端に向けて形成して腰パネル受入れ部を形成するとともに、前記側面に隣接し、前記切欠きによって一部欠損した側面のほぼ中央部に、前記腰パネルに形成された突合せ片もしくはやとい実を受入れる嵌合溝を形成した見切り部材と、
前記腰パネルの溝と係合可能なやとい実
とから構成される腰パネル構造である。
【００１４】
また、この発明の請求項６に記載の発明は、
請求項５に記載の腰パネル構造において、
前記腰パネルは、
裏面部に反りを防止するための溝が長手方向に複数形成されたものであること
を特徴とするものである。
【００１５】
また、この発明の請求項７に記載の発明は、
請求項５又は６に記載の腰パネル構造において、
前記腰パネルは、
表面部が凹凸部によって波状に形成されたものであること
を特徴とするものである。
【発明の効果】
【００１６】
この発明の見切り部材は、方形の見切り主体の、長手方向の一側面に、使用せんとする腰パネルの厚みに相当する切欠きを一方端から他方端に向けて形成して腰パネル受入れ部を形成するとともに、前記側面に隣接し、前記切欠きによって一部欠損した側面部に、前記腰パネルに形成された突合せ片もしくはやとい実を受入れる嵌合溝が形成されているので、前記腰パネル受入れ部および嵌合部の壁面に対する取り付け位置を変えることによって、幅木、上部壁仕上げとの見切り、さらには出隅、入隅にも兼用することができる。
【００１７】
特に、この発明の見切り部材は、使用部位を兼用することができるので、材料のロスや複数の部品の在庫を必要とせず、リフォームに際しても、従来の幅木を有効利用することができるなど、施工の面からも優れた効果を奏するものである。
【発明を実施するための最良の形態】
【００１８】
以下、この発明の見切り部材およびこの見切り部材を使用した腰パネル構造を、添付の図面に基づいて具体的に説明するが、この発明は図示されたものにのみ限定されるものではなく、その要旨を変更しない範囲内において、種々改良を加えることができるものである。
【００１９】
この発明の見切り部材１は、図１および図２から明らかなように、木材もしくは合成樹脂材からなる方形の見切り主体２の長手方向のいずれかの一側面２ａに、所要の幅と深さとを有する切欠きを、一方端から他方端に向けて形成して腰パネル受入れ部３を形成するとともに、前記切欠きによって一部欠損した側面２ｂのほぼ中央部に凹状の溝からなる接続部４を形成したものである。なお、前記切欠きによって除去された角隅部と相対する角隅部を面取りもしくは弧状Ｒに形成することによって、万一当該角隅部に人が衝突しても人体を損傷するおそれがない。
【００２０】
その際、前記切欠きの幅は、使用せんとする腰パネルの厚みとほぼ同一もしくはやや厚いもので、その深さは、前記腰パネルに形成される突合せ片の厚みとほぼ同一もしくやや厚いものである。
【００２１】
なお、前記実施例においては、見切り部材１は、平滑な面同士が接する角隅部を、面取りもしくは弧状Ｒに形成することによって、万一当該角隅部に人が衝突しても人体を損傷するおそれがないように構成しているが、図９に示すように、当該角隅部を、軸方向に向かって円弧状の切欠きＲ´を形成することによって、同様の効果を達成することができるとともに、デザイン性の向上も期待することができる。
【００２２】
かかる構成からなる見切り部材１の使用方法を以下に説明するに際し、図６〜図８によって腰パネルと、やとい実について説明する。
【００２３】
図６に示す腰パネル５は、所要の幅と厚みおよび長さとを有するパネル主体５１の表面を、凹凸の形成によって連続した波状としたもので、一方の側面に所要の深さを有する溝５２を、他方の側縁に前記溝５２と係合する本ざね５３を形成したもので、裏面部には、パネル主体５１が反るのを防止するための切欠き５４が長手方向に沿って複数形成されたもので、この実施例においては、壁パネルは、幅約９５ｍｍ×厚み約９ｍｍ×長さ約９０ｍｍ程度であるが、使用部位によっては必ずしも一定なものでない。また、前記本ざね５３は、突出長さ約５ｍｍ×厚み約４ｍｍ程度で、前記溝５２は、この本ざね５３を受入れることが可能な大きさであるが、用途に応じて種々変更されるものである。
【００２４】
図７に示す腰パネル６も、図６に示す腰パネル５と同様の構成を有するもので、その相違は、腰パネル５が表面を波型に形成されているに対し、腰パネル６は表面が面一である点で、図中、６１はパネル主体、６２は溝、６３は本ざね、６４は反り防止用の切欠きを示している。
【００２５】
図８は、前記見切り部材１と前記腰パネル５又は６とを連結するためのやとい実７を示し、その長さは基本的に前記腰パネル５又は６の長さと一致するもので、幅は前記本ざね５３の突出長さ（約５ｍｍ）と、また厚み（約４ｍｍ）も本ざね５３の厚みと等しいものである。
【００２６】
かかる部材を使用した腰パネルの設置の一例を説明すると、図３又は４に示すように、装飾しようとする壁面Ｗの下部に、床面Ｆから所要の高さを有する幅木８を、接着剤などを使用して貼着して固定したのち、この発明の見切り部材１を、その切欠きからなる腰パネル受入れ部３内に幅木８の上部が嵌まり込むように設置し、見切り部材１の側面２ｂに接着剤を塗布して見切り部材１を壁面Ｗに固定する。
【００２７】
なお、前記幅木８の幅は必ずしも一定なものではないので、図４の２点鎖線で示すように幅の広い幅木８ａを使用する場合には、当該幅木８ａの上端面を、見切り部材１の腰パネル受入れ部３に連なる側面２ａの端面に当接させて使用するものである。
【００２８】
ついで、見切り部材１の側面２ｃを利用して腰パネル５を順次幅方向に貼着したのち、腰パネル５の上部に、見切り部材１を前記幅木８のときと同様にして配置し、腰パネル５の上部を化粧するものである。
【００２９】
図５は、この発明にかかる見切り部材１の他の使用例を示すもので、廊下Ｈを構成する外側の壁面Ｗ１  ，Ｗ２  と、内側の壁面Ｗ３  ，Ｗ４  には、それぞれ図示のように腰パネル５が接着剤で貼着される。
【００３０】
その際、外側の壁面Ｗ１  とＷ２  とが交差する入隅Ａにあっては、まず、見切り部材１を図示のように、なんら加工がなされていない側面２ｃ，２ｄが廊下Ｈ側に面し、腰パネル受入れ部３および接続部４がいずれも入隅側に面するようにして入隅に固定する。なお、入隅Ａへの見切り部材１の固定手段は、接着剤であっても、ネジであってもよく、特段の制限はないものである。
【００３１】
ついで、入隅を構成する壁面Ｗ１  ，Ｗ２  に沿って、それぞれ腰パネル５，５・・・を、本ざね５３と溝５２を使用して順次接続しながら固定するものである。
【００３２】
一方、壁面Ｗ３  ，Ｗ４  で構成される出隅Ｂに腰パネル５を装着するには、図５で示すように、見切り部材１の側面２ｃ，２ｄが廊下Ｈに面し、腰パネル受入れ部３が出隅Ｂと直接接するようにして出隅Ｂに固定する。その際、腰パネル受入れ部３を構成する短辺３ａと壁面Ｗ４  との間に、少なくともやとい実７を配置するのに必要な幅、すなわち、やとい実７の厚み相当分の間隔を存して見切り部材１を出隅Ｂに固定するものである。
【００３３】
このように見切り部材１を出隅Ｂに固定すると、壁面Ｗ３  側に接続部４が開口し、壁面Ｗ４  側に腰パネル受入れ部３の一部が開口するので、前記接続部４内に腰パネル５の本ざね５３を嵌合させて腰パネル５を壁面Ｗ３  に固着し、この腰パネル５の溝５２に次の腰パネル５の本ざね５３を接続させながら順次腰パネル５，５・・・を固定する。
【００３４】
つぎに、壁面Ｗ４  側においては、この壁面Ｗ４  と腰パネル受入れ部３との間に形成される開口に、やとい実７の一端を挿入し、開口より突出したやとい実７を腰パネル５の溝５２内に嵌め込んで腰パネル５を見切り部材１に一体化させたのち、腰パネル５を壁面Ｗ４  に固定し、ついで固定した腰パネル５に次の腰パネル５を本ザね５３、溝５２を使用して壁面Ｗ４  に固定して、廊下Ｈに面する壁面を装飾するものである。
【００３５】
この発明の見切り部材１は、前記の構成を有するので、この形状の見切り部材を準備するだけで幅木上部の仕上げ、壁面を装飾する腰パネルの上部仕上げと見切り、さらには出隅、入隅にも使用することができるので、従来のように使用箇所に応じて見切り部材を代える必要が無く、構成もきわめて簡単であるので、個人的にリフォームを実施する場合においても容易に施工することができるなど実用性に優れたものである。
【図面の簡単な説明】
【００３６】
【図１】この発明にかかる見切り部材の端面図である。
【図２】同斜視図である。
【図３】この発明の見切り部材の使用状態を示す壁面の正面図である。
【図４】図３における要部の一部切欠き側面図である。
【図５】他の使用状態を示す横断平面図である。
【図６】この発明の腰パネル構造を構成する腰パネルの一例を示す端面図である。
【図７】腰パネルの他の例を示す端面図である。
【図８】この発明の腰パネル構造を構成するやとい実の斜視図である。
【図９】この発明にかかる見切り部材の他の例を示す斜視図である。
【符号の説明】
【００３７】
１          見切り部材
２          見切り主体
２ａ〜２ｃ  側面
３          腰パネル受入れ部
３ａ        腰パネル受入れ部の短片
３ｂ        腰パネル受入れ部の長片
４          接続部
５，６      腰パネル
５１，６１  パネル主体
５２，６２  溝
５３，６３  本ざね
７          やとい実
【図１】
2006322217.tif 000003
【図２】
2006322217.tif 000004
【図３】
2006322217.tif 000005
【図４】
2006322217.tif 000006
【図５】
2006322217.tif 000007
【図６】
2006322217.tif 000008
【図７】
2006322217.tif 000009
【図８】
2006322217.tif 000010
【図９】
2006322217.tif 000011